(57)【要約】      （修正有）【課題】袋体の内部に、羽毛と、合成繊維、綿繊維、レーヨン、及び指定外繊維から選択される繊維体とが混合されてなるワタが充填されてなる羽毛布団を提供する。【解決手段】羽毛布団１は、布地からなる表地２１及び裏地が、その外周において縫合されてなる袋体を有してなる。また、表地２１及び裏地は、縦境界部３１及び横境界部３２が格子状に形成されてなる。また、境界部３１、３２によって形成されてなる複数の小室のそれぞれには、羽毛と、合成繊維、綿繊維、レーヨン、及び指定外繊維から選択される繊維体とが混合されてなるワタが袋体の内部に充填される。【選択図】図１
0003224912.tif 000002
【実用新案登録請求の範囲】
【請求項１】
羽毛と、合成繊維、綿繊維、レーヨン、及び指定外繊維から選択される繊維体とが混合されてなるワタが袋体の内部に充填されてなる羽毛布団。
【請求項２】
羽毛と、合成繊維、綿繊維、レーヨン、及び指定外繊維から選択される繊維体とが混合されてなるワタが袋体の内部においてひとまとまりに充填されてなり、
前記ワタの全体にわたって均一に前記羽毛が散在してなる羽毛布団。
【請求項３】
羽毛と、合成繊維、綿繊維、レーヨン、及び指定外繊維から選択される繊維体とが混合されてなるワタが袋体の内部においてひとまとまりに充填されてなり、
前記ワタの全体にわたって均一に前記羽毛が前記繊維体と絡まりあってなる羽毛布団。
【請求項４】
袋体が複数の小室に隔てられてなる羽毛布団であって、
前記小室には、
羽毛と、合成繊維、綿繊維、レーヨン、及び指定外繊維から選択される繊維体とが混合されてなるワタがひとまとまりに充填されてなり、
前記ワタの全体に亘って均一に前記羽毛が前記繊維体と絡まり合ってなる
ことを特徴とする羽毛布団。
【請求項５】
前記合成繊維はポリエステルであることを特徴とする、
請求項１〜請求項４のいずれか１つに記載の羽毛布団。
【請求項６】
前記ワタは、
前記羽毛と、前記繊維体とがそれぞれ同質量で混合されてなることを特徴とする
請求項１〜請求項５のいずれか１つに記載の羽毛布団。
【請求項７】
前記ワタは、
前記羽毛と、前記合成繊維、前記綿繊維、レーヨン、及び指定外繊維から選択される２以上の繊維の混合物とがそれぞれ同質量で混合されてなることを特徴とする
請求項１〜請求項５のいずれか１つに記載の羽毛布団。
【考案の詳細な説明】
【技術分野】
【０００１】
本考案は、袋体の内部に、羽毛と、合成繊維、綿繊維、レーヨン、及び指定外繊維から選択される繊維体とが混合されてなるワタが充填されてなる羽毛布団に関する。
【背景技術】
【０００２】
従来、布団の素材としては、羽毛、羊毛、及び合繊綿等の素材が用いられていた。その中でも羽毛は、高保温性、軽量等の多くのメリットを有することから多くの消費者から好まれていた。
【先行技術文献】
【特許文献】
【０００３】
【特許文献１】実用新案登録第３１５４６８１号公報
【考案の概要】
【考案が解決しようとする課題】
【０００４】
しかしながら、近年の羽毛の価格高騰によって、羽毛布団の価格も高騰せざるを得ない状況となっている。またさらに、価格の高騰に伴って、一枚の布団に使用することができる羽毛の量が減少し、従来と比較して厚みの薄い、品質の劣る羽毛布団が市場に流通している。
【課題を解決するための手段】
【０００５】
そこで、上記課題を解決するための手段として本考案に係る羽毛布団は、羽毛と、合成繊維、綿繊維、レーヨン、及び指定外繊維から選択される繊維体とが混合されてなるワタが袋体の内部に充填されてなることを特徴とする。
【０００６】
本考案に係る羽毛布団によれば、羽毛と、合成繊維、綿繊維、レーヨン、及び指定外繊維から選択される繊維体（以下では、単に繊維体ということもある。）とが混合されてなることから、高保温性、軽量性、吸湿性、放湿性、及び透湿性を享受することができると共に、安価で且つ嵩高の十分にある布団を提供することができる。
【０００７】
また、一般論として、羽毛が充填されてなる羽毛布団は、布団の下側で横になった使用者と羽毛布団との間に密閉空間を作ることから、羽毛布団が前記使用者の身体にフィットして、羽毛布団のベッドや敷布団等からの離脱を抑制する吸い付き効果を奏する。
本考案に係る羽毛布団にあっても、羽毛が繊維体と混合されてなることから、前記吸い付き効果を奏し、羽毛布団のベッドや敷布団等からの不意の離脱を抑制することができる。
【０００８】
羽毛とは、鳥類の体表を覆う毛のことをいう。羽毛には、ダウン、フェザー、及びスモールフェザーを含む。
【０００９】
合成繊維には、ナイロン、ポリエステル、アクリル等を含む。また、軽量且つ安価であることから、ポリエステルを用いることが好ましい。
【００１０】
綿繊維とは、コットン由来の繊維をいう。
【００１１】
指定外繊維とは、平成２７年３月３１日に改正された繊維製品品質表示規定の別表第五に規定されていた「前各項上欄に掲げる繊維以外の繊維」をいう。また、指定外繊維には、例えばリヨセル繊維が含まれる。
【００１２】
袋体とは、ワタを内部に充填可能に形成されてなる、布団の側生地のことをいう。具体的には、布地からなる表地及び裏地が、その外周において縫合されてなる。
【００１３】
羽毛布団とは、前記羽毛を用いた布団をいう。また、ダウン、フェザー及びスモールフェザーの混合率に関わらず、前記羽毛を用いた布団であれば、ここにいう羽毛布団に含まれる。
【００１４】
また、羽毛と、合成繊維、綿繊維、レーヨン、及び指定外繊維から選択される繊維体とが混合されてなるワタが袋体の内部においてひとまとまりに充填されてなり、前記ワタの全体にわたって均一に前記羽毛が散在してなることとしても好ましい。
【００１５】
このような構成によれば、上述した構成の羽毛布団と比較して、さらに優れた高保温性、軽量性、吸湿性、放湿性、及び透湿性を享受することができる。
【００１６】
ひとまとまりとは、ワタが１つのまとまった綿体であることを意味するものである。
【００１７】
また、羽毛と、合成繊維、綿繊維、レーヨン、及び指定外繊維から選択される繊維体とが混合されてなるワタが袋体の内部においてひとまとまりに充填されてなり、前記ワタの全体にわたって均一に前記羽毛が前記繊維体と絡まりあってなることとしても好ましい。
【００１８】
このような構成によれば、袋体の内部において、羽毛と、繊維体とが分離若しくは移動することを抑制することができることから、長期間にわたって高保温性、吸湿性、放湿性、透湿性、嵩高等を保つことができる。これにより、長期間にわたって、羽毛布団の品質の劣化を抑制することができる。
【００１９】
さらに、羽毛が繊維体と絡まり合ってなり、羽毛の分離若しくは移動が抑制されることから、側生地若しくは縫目からの羽毛の飛び出しを抑制することができる。
【００２０】
また、袋体が複数の小室に隔てられてなる羽毛布団であって、前記小室には、羽毛と、合成繊維、綿繊維、レーヨン、及び指定外繊維から選択される繊維体とが混合されてなるワタがひとまとまりに充填されてなり、前記ワタの全体に亘って均一に前記羽毛が前記繊維体と絡まり合ってなることとしても好ましい。
【００２１】
このような構成によれば、袋体に小室を形成することによってさらに優れた保温性を実現することができると共に、小室内において、羽毛と、繊維体とが分離若しくは移動することをさらに抑制することができる。また、小室を形成する手段としては、例えばキルティングや、袋体の内部に中マチを設ける構成等を採用することができる。
【００２２】
さらに、上述の通り、羽毛と、繊維体とが分離若しくは移動することがさらに抑制されることから、側生地若しくは縫目からの羽毛の飛び出しをさらに効果的に抑制することができる。
【００２３】
また、前記合成繊維はポリエステルであることとしても好ましい。
【００２４】
また、前記ワタは、前記羽毛と、前記繊維体とがそれぞれ同質量で混合されてなることとしても好ましい。
【００２５】
また、前記ワタは、前記羽毛と、前記合成繊維、前記綿繊維、レーヨン、及び指定外繊維から選択される２以上の繊維の混合物とがそれぞれ同質量で混合されてなることとしても好ましい。
【考案の効果】
【００２６】
本考案に係る羽毛布団によれば、羽毛と、合成繊維、綿繊維、レーヨン、及び指定外繊維から選択される繊維体とが混合されてなることから、高保温性、軽量性、吸湿性、放湿性、及び透湿性を享受することができると共に、安価で且つ嵩高の十分にある布団を提供することができる。
【００２７】
さらに、羽毛が合成繊維、綿繊維、レーヨン、及び指定外繊維から選択される繊維体と混合されてなることから、吸い付き効果を奏し、羽毛布団のベッドや敷布団等からの離脱を抑制することができる。
【図面の簡単な説明】
【００２８】
【図１】本考案に係る羽毛布団１の平面図である。
【図２】本考案に係る羽毛布団１の右側面図である。
【図３】本考案に係る羽毛布団１の平面図におけるＡ−Ａ線断面図である。
【図４】本考案に係る羽毛布団１のワタ４１の拡大図である。
【考案を実施するための形態】
【００２９】
以下、本考案に係る一の実施の形態を、図を参照しながら詳しく説明する。
【００３０】
また、本考案の技術的範囲は、クレームによって確定されるべきものであって、本実施の形態に基づいて限定的に解釈されるべきではない。
【００３１】
まず、図１から図４を用いて、一の実施形態に係る羽毛布団１の構成を説明する。
【００３２】
図１及び図２に示すように、羽毛布団１は、布地からなる表地２１及び裏地２２が、その外周において縫合されてなる袋体を有してなる。また、表地２１及び裏地２２は、縦境界部３１及び横境界部３２（以下、縦・横を区別する必要が無いときは、単に境界部３１，３２と記載する。）が格子状に形成されてなる。また、図３に示すように、境界部３１，３２によって形成されてなる複数の小室のそれぞれには、ひとまとまりのワタ４１が充填されてなる。なお、羽毛布団１は立体キルトに形成されても好ましい。
【００３３】
袋体は、横１５０ｃｍ、縦２１０ｃｍに構成されてなる。さらに、表地２１及び裏地２２は、ポリエステルが８５質量％、綿が１５質量％で形成されてなる。
【００３４】
図３に示すように、境界部３１，３２は、表地２１と裏地２２とを４ｃｍの幅で離間させると共に、袋体を格子状に分け隔てて複数の小室を形成する中マチ３３が設けられてなる。
また、例えば、境界部３１，３２は、表地２１及び裏地２２を縫合することにより形成しても良く、また、表地２１及び裏地２２を互いに溶着することにより形成しても良い。さらに、上述した立体キルト若しくは平体キルトに限られず、他のキルト構造を採用することもできる。
【００３５】
図４に示すように、ワタ４１は、ダウンＤが２５質量％、フェザーＦが２５質量％、ポリエステル繊維Ｐが５０質量％で混合されてなる。さらに、ダウンＤ及びフェザーＦは、ワタ４１の全体に亘って均一にポリエステル繊維Ｐと絡まり合ってなる。
【００３６】
上記の構成からなる羽毛布団１は、羽毛と、ポリエステル繊維Ｐとが混合されてなることから、高保温性、軽量性、吸湿性、放湿性、及び透湿性を享受することができると共に、安価で製造することができ且つ嵩高の十分にある布団となっている。
【００３７】
さらに、上述した吸い付き効果を奏し、羽毛布団１のベッドや敷布団等からの不意の離脱を抑制することができる。
【００３８】
さらに、ダウンＤ及びフェザーＦからなる羽毛が、ポリエステル繊維Ｐと絡まり合ってなり、かつ、境界部３１，３２によって隔てられた小室に充填されてなることから、羽毛の分離若しくは移動が抑制され、側生地若しくは縫目からの羽毛の飛び出しを抑制することができる。
【００３９】
さらに、前述した羽毛とポリエステル繊維Ｐとの分離若しくは移動が抑制されることから、長期間にわたって高保温性、吸湿性、放湿性、透湿性、嵩高を保つことができ、長期間にわたって、羽毛布団１の品質の劣化を抑制することができる。
【００４０】
また、本実施形態では、ワタ４１の素材の一つとしてポリエステル繊維Ｐを用いたが、他の合成繊維であるナイロン繊維、アクリル繊維等を用いてもよく、また綿繊維、レーヨン、指定外繊維を用いてもよい。
【符号の説明】
【００４１】
１  羽毛布団
２１  表地
２２  裏地
３１  縦境界部
３２  横境界部
３３  中マチ
４１  ワタ
Ｐ  ポリエステル繊維
Ｄ  ダウン
Ｆ  フェザー
【図１】
0003224912.tif 000003
【図２】
0003224912.tif 000004
【図３】
0003224912.tif 000005
【図４】
0003224912.tif 000006